(57)【要約】【課題】水洗大便器本体を持ち上げることなく、排水トラップ管路と排水配管を接続することができる水洗大便器装置を提供する。【解決手段】本発明は、水洗大便器装置(1)であって、ボウル部(2a)と、排水トラップ管路(2b)と、を備えた水洗大便器本体(2)と、排水トラップ管路に取り付けられる第１排水ソケット部材(6)と、排水配管(10)に取り付けられ、第１排水ソケット部材に接続可能な第２排水ソケット部材(8)と、可動式シール部材(14a)と、を有し、水洗大便器本体の底部には切欠(2e)が設けられており、水洗大便器本体を床面上でスライドさせる際、切欠の中を第２排水ソケット部材が通過し、可動式シール部材は上下方向に移動して、第１排水ソケット部材と第２排水ソケット部材が整合した状態において、第１排水ソケット部材と第２排水ソケット部材の間をシールするように構成されていることを特徴としている。【選択図】図３
2019148135.tif 000002
【特許請求の範囲】
【請求項１】
床面に設置して使用する水洗大便器装置であって、
汚物を受けるボウル部と、このボウル部の底部から延び、下流端の出口開口が床面に向けて開口した排水トラップ管路と、を備えた水洗大便器本体と、
上記排水トラップ管路の上記出口開口に水密的に取り付けられる第１排水ソケット部材と、
上記水洗大便器本体を設置すべき床面に設けられた排水配管に水密的に取り付けられ、上記第１排水ソケット部材に接続可能な第２排水ソケット部材と、
上記第１排水ソケット部材と上記第２排水ソケット部材の間の水密性を確保するための可動式シール部材と、を有し、
上記水洗大便器本体の底部には切欠が設けられており、上記排水トラップ管路に取り付けた第１排水ソケット部材が、排水配管に取り付けられた上記第２排水ソケット部材と整合するように、上記水洗大便器本体を床面上でスライドさせる際、上記切欠の中を上記第２排水ソケット部材が通過し、
上記可動式シール部材は上下方向に移動して、上記第１排水ソケット部材と上記第２排水ソケット部材が整合した状態において、上記第１排水ソケット部材と上記第２排水ソケット部材の間をシールするように構成されていることを特徴とする水洗大便器装置。
【請求項２】
さらに、自動可動機構を備え、この自動可動機構は、上記水洗大便器本体を床面上でスライドさせることにより上記第１排水ソケット部材と上記第２排水ソケット部材を整合させる際、自動的に上記可動式シール部材を移動させ上記第１排水ソケット部材と上記第２排水ソケット部材の間をシールする請求項１記載の水洗大便器装置。
【請求項３】
さらに、上記可動式シール部材を移動させるためのシール操作部材を有し、上記シール操作部材を操作することにより、上記可動式シール部材が移動され、上記第１排水ソケット部材と上記第２排水ソケット部材の間がシールされる請求項１記載の水洗大便器装置。
【請求項４】
上記シール操作部材は、上記水洗大便器本体の上記切欠を通して上記可動式シール部材を移動させるように構成され、上記第１排水ソケット部材と上記第２排水ソケット部材の間がシールされる位置に上記シール操作部材を移動させると、上記水洗大便器本体の上記切欠が上記シール操作部材によって塞がれる請求項３記載の水洗大便器装置。
【請求項５】
さらに、ガイド機構を有し、このガイド機構は、上記第１排水ソケット部材を取り付けた上記水洗大便器本体が床面上でスライドされるとき、上記第１排水ソケット部材と上記第２排水ソケット部材が整合するように上記水洗大便器本体のスライドを案内する請求項１乃至４の何れか１項に記載の水洗大便器装置。
【請求項６】
上記ガイド機構は、上記第１排水ソケット部材及び上記第２排水ソケット部材の何れか一方に設けられたガイド凹部と、上記第１排水ソケット部材及び上記第２排水ソケット部材の他方に設けられ、上記ガイド凹部と係合するガイド凸部から構成されている請求項５記載の水洗大便器装置。
【請求項７】
さらに、接続解除機構を有し、この接続解除機構は、上記可動式シール部材を、上記第１排水ソケット部材と上記第２排水ソケット部材の間がシールされる位置から、上記第１排水ソケット部材と上記第２排水ソケット部材の間がシールされない位置へ移動させる請求項１乃至６の何れか１項に記載の水洗大便器装置。
【発明の詳細な説明】
【技術分野】
【０００１】
本発明は水洗大便器装置に関し、特に、床面に設置して使用する水洗大便器装置に関する。
【背景技術】
【０００２】
特許第５４０３２１６号公報（特許文献１）には、壁掛製品の梱包容器が記載されている。この梱包容器は、壁掛け式の大便器等を梱包する容器であって、壁面に取り付けるべき高さに大便器を支持するように構成されている。これにより、大便器を梱包容器から持ち上げることなく、梱包容器ごとスライドさせることにより、壁掛け式の大便器を壁面上の適所に配置することができる。この結果、壁掛製品である壁掛け式の大便器を持ち上げることなく、大便器を壁面に取り付ける施工を行うことができ、施工性を向上させることができる。
【０００３】
一方、特開平７−１０２６１７号公報（特許文献２）には、便器の施工方法が記載されている。この施工方法は、床面に埋設された排水管に大便器を接続する施工方法であって、まず、床面に設けられた排水管に挿入可能な挿入筒部が一体形成されたフランジが、床面に固定される。一方、大便器の底面には、フランジの外周と同一の寸法、形状に形成された底凹部が形成されており、フランジが大便器の底凹部の内側に受け入れられるように大便器を配置することにより、大便器が床面上に正確に位置決めされる。これにより、便器底面の排水口と、フランジに形成された挿入筒部を容易に整合させることができ、便器の施工を容易にすることができる。
【先行技術文献】
【特許文献】
【０００４】
【特許文献１】特許第５４０３２１６号公報
【特許文献２】特開平７−１０２６１７号公報
【発明の概要】
【発明が解決しようとする課題】
【０００５】
一般に水洗大便器本体は重量物であり、これを持ち上げて、水洗大便器本体の出口開口と床面上の排水配管を整合させ、これらを接続することは難しい作業である。特に、排水トラップ管路の出口開口が床面に向けて開口している床置き式の水洗大便器本体では、出口開口が水洗大便器本体周囲のスカート部によって覆われているものが多く、出口開口と排水配管の位置を視認しながら整合させることが困難であり作業性が悪い。
【０００６】
特許文献２記載の便器の施工方法では、水洗大便器本体底面の凹部と合致した形状のフランジを、予め排水配管に取り付けておくことにより、出口開口と排水配管の位置合わせを容易にしている。しかしながら、この施工方法においても、水洗大便器本体を適所に位置合わせするためには、重量物である水洗大便器本体を持ち上げる必要があり、施工性は良好ではない。また、特許文献２記載の便器の施工方法では、水洗大便器本体に、フランジの形状と合致した底面凹部が設けられている必要があり、施工方法を適用可能な便器が制約されるという問題がある。
従って、本発明は、水洗大便器本体を持ち上げることなく、排水トラップ管路の出口開口と、床面に設けられた排水配管を容易に接続することができる水洗大便器装置を提供することを目的としている。
【課題を解決するための手段】
【０００７】
上述した課題を解決するために、本発明は、床面に設置して使用する水洗大便器装置であって、汚物を受けるボウル部と、このボウル部の底部から延び、下流端の出口開口が床面に向けて開口した排水トラップ管路と、を備えた水洗大便器本体と、排水トラップ管路の出口開口に水密的に取り付けられる第１排水ソケット部材と、水洗大便器本体を設置すべき床面に設けられた排水配管に水密的に取り付けられ、第１排水ソケット部材に接続可能な第２排水ソケット部材と、第１排水ソケット部材と第２排水ソケット部材の間の水密性を確保するための可動式シール部材と、を有し、水洗大便器本体の底部には切欠が設けられており、排水トラップ管路に取り付けた第１排水ソケット部材が、排水配管に取り付けられた第２排水ソケット部材と整合するように、水洗大便器本体を床面上でスライドさせる際、切欠の中を第２排水ソケット部材が通過し、可動式シール部材は上下方向に移動して、第１排水ソケット部材と第２排水ソケット部材が整合した状態において、第１排水ソケット部材と第２排水ソケット部材の間をシールするように構成されていることを特徴としている。
【０００８】
このように構成された本発明においては、水洗大便器本体のボウル部から延びる排水トラップ管路の出口開口に、第１排水ソケット部材が水密的に取り付けられる。一方、第２排水ソケット部材は、水洗大便器本体を設置すべき床面に設けられた排水配管に水密的に取り付けられる。水洗大便器本体の底部の切欠は、第２排水ソケット部材を通過させることができるように形成されているので、水洗大便器本体を床面上でスライドさせるだけで、水洗大便器本体に取り付けられた第１排水ソケット部材と第２排水ソケット部材を整合させることができる。可動式シール部材は、上下方向に移動して、第１排水ソケット部材と第２排水ソケット部材が整合した状態において、第１排水ソケット部材と第２排水ソケット部材の間をシールする。
【０００９】
このように構成された本発明によれば、可動式シール部材が上下方向に移動され、水洗大便器本体に取り付けられた第１排水ソケット部材と、排水配管に取り付けられた第２排水ソケット部材が整合した状態において第１、第２排水ソケット部材の間がシールされる。排水配管に取り付けられた第２排水ソケット部材は、水洗大便器本体の底部の切欠を通過することができるので、水洗大便器本体を持ち上げることなく、水洗大便器本体を床面上でスライドさせるだけで第１排水ソケット部材と第２排水ソケット部材を整合させることができる。このため、水洗大便器本体を持ち上げることなく、排水トラップ管路の出口開口と排水配管を容易に水密的に接続することができる。
【００１０】
本発明において、好ましくは、さらに、自動可動機構を備え、この自動可動機構は、水洗大便器本体を床面上でスライドさせることにより、第１排水ソケット部材と第２排水ソケット部材を整合させる際、自動的に可動式シール部材を移動させ第１排水ソケット部材と第２排水ソケット部材の間をシールする。
【００１１】
このように構成された本発明によれば、水洗大便器本体を床面上でスライドさせることにより、自動可動機構が自動的に可動式シール部材を移動させ、第１、第２排水ソケット部材間がシールされるので、特別な操作を行うことなく極めて容易に第１排水ソケット部材と第２排水ソケット部材を水密的に接続することができる。
【００１２】
本発明において、好ましくは、さらに、可動式シール部材を移動させるためのシール操作部材を有し、第１排水ソケット部材と第２排水ソケット部材が整合した状態で、シール操作部材を操作することにより、可動式シール部材が移動され、第１排水ソケット部材と第２排水ソケット部材の間がシールされる。
【００１３】
このように構成された本発明によれば、シール操作部材を操作することにより、可動式シール部材が移動され、第１排水ソケット部材と第２排水ソケット部材の間がシールされるので、確実に第１、第２排水ソケット部材の間の水密性を確保することができる。また、シール操作部材を、水洗大便器本体の外側から操作できるように構成しておくことにより、容易に第１、第２排水ソケット部材の間をシールすることができる。
【００１４】
本発明において、好ましくは、シール操作部材は、水洗大便器本体の切欠を通して可動式シール部材を移動させるように構成され、第１排水ソケット部材と第２排水ソケット部材の間がシールされる位置にシール操作部材を移動させると、水洗大便器本体の切欠がシール操作部材によって塞がれる。
【００１５】
このように構成された本発明によれば、シール操作部材が水洗大便器本体の切欠を通して操作されるので、水洗大便器本体の外側から可動式シール部材を移動させることができる。また、第１、第２排水ソケット部材の間がシールされた状態では、切欠がシール操作部材によって塞がれるので、切欠を隠蔽することができ、水洗大便器本体の意匠性を向上させることができる。
【００１６】
本発明において、好ましくは、さらに、ガイド機構を有し、このガイド機構は、第１排水ソケット部材を取り付けた水洗大便器本体が床面上でスライドされるとき、第１排水ソケット部材と第２排水ソケット部材が整合するように水洗大便器本体のスライドを案内する。
【００１７】
このように構成された本発明によれば、ガイド機構によって、第１、第２排水ソケット部材が整合するように水洗大便器本体のスライドが案内されるので、第１排水ソケット部材が水洗大便器本体の外側から視認できない状態であっても容易に第１排水ソケット部材と第２排水ソケット部材を整合させることができる。これにより、施工性を向上させることができる。
【００１８】
本発明において、好ましくは、ガイド機構は、第１排水ソケット部材及び第２排水ソケット部材の何れか一方に設けられたガイド凹部と、第１排水ソケット部材及び第２排水ソケット部材の他方に設けられ、ガイド凹部と係合するガイド凸部から構成されている。
【００１９】
このように構成された本発明によれば、ガイド機構が第１排水ソケット部材及び第２排水ソケット部材に設けられているので、特別な部材を追加することなくスライドを案内することができる。また、ガイド機構がガイド凹部とガイド凸部から構成されているので、簡単な構造でガイド機構を実現することができる。
【００２０】
本発明において、好ましくは、さらに、接続解除機構を有し、この接続解除機構は、可動式シール部材を、第１排水ソケット部材と第２排水ソケット部材の間がシールされる位置から、第１排水ソケット部材と第２排水ソケット部材の間がシールされない位置へ移動させる。
【００２１】
このように構成された本発明によれば、接続解除機構を備えているので、水洗大便器本体を設置した後でも、第１排水ソケット部材と第２排水ソケット部材の接続を容易に解除することができ、メンテナンス性を向上させることができる。
【発明の効果】
【００２２】
本発明の水洗大便器装置によれば、水洗大便器本体を持ち上げることなく、排水トラップ管路の出口開口と、床面に設けられた排水配管を容易に接続することができる。
【図面の簡単な説明】
【００２３】
【図１】本発明の第１実施形態による水洗大便器装置の側面図である。
【図２】本発明の第１実施形態における水洗大便器本体を後方から見た斜視図である。
【図３】本発明の第１実施形態による水洗大便器装置に備えられた第１排水ソケット部材及び第２排水ソケット部材を拡大して示す断面図である。
【図４】本発明の第１実施形態による水洗大便器装置に備えられた第２排水ソケット部材の上面図である。
【図５】本発明の第１実施形態による水洗大便器装置における第１排水ソケット部材と第２排水ソケット部材の接続を説明する図である。
【図６】本発明の第２実施形態による水洗大便器装置における第１、第２排水ソケットの部分を拡大して示す断面図である。
【図７】図６のVII−VII線に沿う断面図である。
【図８】本発明の第２実施形態による水洗大便器装置において、第１、第２排水ソケットの間がシールされた状態を示す断面図である。
【図９】図８のIX−IX線に沿う断面図である。
【図１０】本発明の第３実施形態による水洗大便器装置に使用される水洗大便器本体を後方から見た斜視図である。
【図１１】本発明の第３実施形態による水洗大便器装置における第１排水ソケット部材と第２排水ソケット部材の接続を説明する図である。
【図１２】本発明の第３実施形態による水洗大便器装置において第１排水ソケット部材と第２排水ソケット部材が接続された状態を示す半断面図である。
【発明を実施するための形態】
【００２４】
次に、添付図面を参照して、本発明の好ましい実施形態を説明する。
まず、図１乃至図５を参照して、本発明の第１実施形態による水洗大便器装置を説明する。図１は本実施形態による水洗大便器装置の側面図であり、図２は本実施形態における水洗大便器本体を後方から見た斜視図である。図３は、本実施形態による水洗大便器装置に備えられた第１排水ソケット部材及び第２排水ソケット部材を拡大して示す断面図である。図４は、本実施形態による水洗大便器装置に備えられた第２排水ソケット部材の上面図である。図５は、本実施形態による水洗大便器装置における第１排水ソケット部材と第２排水ソケット部材の接続を説明する図である。
【００２５】
図１に示すように、本実施形態の水洗大便器装置１は、水洗大便器本体２と、この水洗大便器本体２の上面後部に取り付けられた貯水タンク４と、水洗大便器本体２の排水トラップ管路に取り付けられる第１ソケット部材６と、床面Ｆに設けられた排水配管に取り付けられた第２ソケット部材８と、を有する。
本実施形態の水洗大便器装置１は、トイレ室の床面Ｆに設けられた排水配管１０に第２ソケット部材８を取り付け、水洗大便器本体２の排水トラップ管路に第１ソケット部材６を取り付けておき、水洗大便器本体２を床面Ｆ上でスライドさせることにより第１ソケット部材６と第２ソケット部材８を接続することができるように構成されている。
【００２６】
図１に示すように、水洗大便器本体２は、汚物を受けるボウル部２ａと、このボウル部２ａ内の汚物及び洗浄水を排出するための排水トラップ管路２ｂと、ボウル部２ａの周囲を囲むように床面Ｆまで延びるスカート部２ｃと、を備えている。排水トラップ管路２ｂはボウル部２ａから延びる概ね円形断面の管路であり、ボウル部２ａの底部から斜め上方に延びた後、概ね鉛直下方に向けて延びるように湾曲されている。従って、排水トラップ管路２ｂの下流端の出口開口２ｄは、床面Ｆに向かって開口している。便器洗浄時においては、貯水タンク４内の洗浄水がボウル部２ａに吐出され、ボウル部２ａ壁面が洗浄されると共に、ボウル部２ａ内の汚物が洗浄水と共に排水トラップ管路２ｂを通って排出される。
【００２７】
なお、本実施形態においては、水洗大便器本体２は、陶器製であるが、樹脂等、他の材料製の水洗大便器本体を本発明に適用することもできる。また、図１に示すように、本明細書において、水洗大便器装置１や水洗大便器本体２の「後方」とは貯水タンク４が配置された側を意味し、「前方」とはその反対の側を意味している。
【００２８】
また、図２に示すように、水洗大便器本体２のスカート部２ｃは、ボウル部２ａの周囲を取り囲むように床面Ｆまで延びている。従って、ボウル部２ａから延びる排水トラップ管路２ｂの下流端は、スカート部２ｃの内側に隠蔽されており、水洗大便器本体２の外側から視認することはできない。また、スカート部２ｃの後面の底部には切欠２ｅが形成されている。この切欠２ｅが設けられることにより、水洗大便器本体２の後面においては、スカート部２ｃの下端と床面Ｆの間に隙間が形成される。また、後述するように、切欠２ｅは、床面Ｆに取り付けた第２ソケット部材８が、切欠２ｅの内側（スカート部２ｃの下端と床面Ｆの間の隙間）を通過することができる寸法形状に構成されている。
【００２９】
次に、図３及び図４を参照して、第１ソケット部材６及び第２ソケット部材８の構成を説明する。
図３に示すように、第１ソケット部材６は、概ね円筒状の部材であり、排水トラップ管路２ｂの下流端に水密的に接続されるように構成されている。第１ソケット部材６は、排水トラップ管路２ｂの下流端を受け入れる大径部６ａと、この大径部６ａの下端から延びるソケット本体部６ｂと、このソケット本体部６ｂの下端部に設けられたフランジ部６ｃと、を有する。
【００３０】
大径部６ａは、排水トラップ管路２ｂの下流端を受け入れるように形成された円筒形の部分であり、接着することにより排水トラップ管路２ｂの下流端に水密的に固定される。或いは、パッキン（図示せず）により、第１ソケット部材６の大径部６ａを排水トラップ管路２ｂに固定することもできる。
ソケット本体部６ｂは、大径部６ａと連通するように形成された円筒形の部分であり、大径部６ａよりも内径が小さく形成されている。この構成により、排水トラップ管路２ｂの下流端の出口開口２ｄから流出した汚物及び洗浄水は、全てソケット本体部６ｂに流入する。
フランジ部６ｃは、ソケット本体部６ｂの下端部外周に形成されたドーナツ板状の部分である。フランジ部６ｃは、ソケット本体部６ｂに対して直角に延びているので、ソケット本体部６ｂが鉛直方向に向けられた状態においては、フランジ部６ｃは概ね水平方向に向けられる。
【００３１】
図３及び図４に示すように、第２ソケット部材８は、床面Ｆに固定されるベース部１２と、このベース部１２に対して回動可能に取り付けられた可動部１４と、この可動部１４に取り付けられたガスケット１６と、を有する。
ベース部１２は、床面Ｆに埋設された排水配管１０の近傍に、２本のビス１２ａによって床面Ｆに固定される直方体状の部材であり、このベース部１２によってシャフト１２ｂが水平方向に向けて支持されている。
【００３２】
可動部１４は、ベース部１２に取り付けられた可動式シール部材である板状部１４ａと、この板状部１４ａの下側に結合された伸縮部１４ｂと、この伸縮部１４ｂの下側に結合された排水配管接続部１４ｃと、を有する。
板状部１４ａは、概ね長方形板状の部分であり、その１つの辺が、ベース部１２のシャフト１２ｂによって回動可能に支持されている。このため、板状部１４ａは、水平方向に向けられたシャフト１２ｂを中心に所定角度回動することができ、第１ソケット部材６と第２ソケット部材８が水密的に接続された状態では、板状部１４ａは、フランジ部６ｃと概ね平行に、ほぼ水平方向に向けられる。
【００３３】
また、板状部１４ａには円形の開口が設けられており、この開口は、第１ソケット部材６のソケット本体部６ｂと整合する位置に形成されている。さらに、板状部１４ａの下面には円筒形の伸縮部１４ｂが設けられており、この伸縮部１４ｂは板状部１４ａの開口と連通するように、一体に形成されている。伸縮部１４ｂは弾性変形可能な材料で構成されており、伸縮部１４ｂが伸縮、変形することにより板状部１４ａの回動が許容される。或いは、伸縮可能な蛇腹管により伸縮部１４ｂを構成することもできる。
【００３４】
さらに、伸縮部１４ｂの下流側には、円筒形の排水配管接続部１４ｃが一体に形成されており、伸縮部１４ｂと排水配管接続部１４ｃは一続きの円管を構成している。排水配管接続部１４ｃの外周は、床面に設けられた排水配管１０の内側に嵌め込み可能な外径に形成されており、排水配管接続部１４ｃは、接着により排水配管１０に水密的に取り付けられる。例えば、塩化ビニル用の接着剤を排水配管接続部１４ｃと排水配管１０の接着に使用することができる。このように、排水配管接続部１４ｃが排水配管１０に接着された状態であっても、伸縮部１４ｂが変形することにより、依然として板状部１４ａの回動は許容される。
【００３５】
一方、図４に示すように、板状部１４ａの上面の両端にはガイド縁部１４ｄが夫々形成されており、これらのガイド縁部１４ｄは板状部１４ａの両側の短辺に沿って設けられた細長い隆起部である。両側のガイド縁部１４ｄの間の間隔は、円形に形成された第１ソケット部材６のフランジ部６ｃの直径とほぼ同一に形成されている。
【００３６】
さらに、図３に示すように、板状部１４ａの、シャフト１２ｂによって支持されている側の長辺には、板状部１４ａからほぼ直角に立ち上がった突出部１４ｅが設けられている。この突出部１４ｅは、第１ソケット部材６と第２ソケット部材８が整合した状態においては、第１ソケット部材６のフランジ部６ｃに当接し、板状部１４ａはほぼ水平方向に向けられた状態に回動される。
【００３７】
ガスケット１６は、板状部１４ａの上面に、その円形の開口を取り囲むように取り付けられた円環状のゴム製の部材である。このガスケット１６が、第１ソケット部材６のフランジ部６ｃと第２ソケット部材８の板状部１４ａの間に挟まれることにより、第１ソケット部材６と第２ソケット部材８が水密的にシールされる。即ち、板状部１４ａがほぼ水平方向に向けられた状態においては、ガスケット１６は、フランジ部６ｃと板状部１４ａの間で所定量押しつぶされ、第１ソケット部材６と第２ソケット部材８の間がシールされる。
【００３８】
次に、図５を参照して、本発明の第１実施形態による水洗大便器装置１の設置手順を説明する。
水洗大便器装置１を設置する場合には、まず、水洗大便器本体２に設けられた排水トラップ管路２ｂ下流端の出口開口２ｄに、第１ソケット部材６を取り付ける。即ち、第１ソケット部材６の大径部６ａに排水トラップ管路２ｂの下流端を差し込んで接着し、第１ソケット部材６を排水トラップ管路２ｂに水密的に取り付ける。図５の左欄に示すように、この状態において、水洗大便器本体２を床面Ｆ上に配置すると、第１ソケット部材６下流端のフランジ部６ｃは、床面Ｆから所定距離上方に、ほぼ水平に配置される。
【００３９】
一方、第２ソケット部材８の排水配管接続部１４ｃを床面Ｆに設けられた排水配管１０に挿入した状態で、ベース部１２を排水配管１０の近傍に配置し、２本のビス１２ａによりベース部１２を床面Ｆに固定する。さらに、排水配管接続部１４ｃを排水配管１０に接着して、第２ソケット部材８を排水配管１０に水密的に接続する。この状態においては、可動部１４の板状部１４ａと排水配管接続部１４ｃの間の伸縮部１４ｂは縮小されており、板状部１４ａは水平面に対してベース部１２の反対側（図５における右側）が低くなるように傾斜している。
【００４０】
図５の右欄に示すように、第２ソケット部材８を床面Ｆの排水配管１０に取り付けた後、第１ソケット部材６を取り付けた水洗大便器本体２を床面Ｆ上でスライドさせ、第１ソケット部材６と第２ソケット部材８を整合させる。ここで、第１ソケット部材６は水洗大便器本体２のスカート部２ｃによって取り囲まれているが、スカート部２ｃの後面底部には切欠２ｅ（図２）が設けられているため、水洗大便器本体２を持ち上げることなく第１ソケット部材６と第２ソケット部材８を整合させることができる。即ち、第２ソケット部材８が切欠２ｅの中を通過するように水洗大便器本体２をスライドさせることにより、第２ソケット部材８とスカート部２ｃが干渉することなく、第２ソケット部材８をスカート部２ｃの内側に位置させることができる。
【００４１】
水洗大便器本体２をスライドさせることにより、第１ソケット部材６が第２ソケット部材８に接近すると、第１ソケット部材６下端のフランジ部６ｃが、第２ソケット部材８の可動部１４のガイド縁部１４ｄ（図４）に接触する。水洗大便器本体２をスライドさせる際、第１ソケット部材６は施工者から視認できない状態にあるが、第１ソケット部材６のフランジ部６ｃがガイド縁部１４ｄによって案内されるので、施工者は水洗大便器本体２を手探りで適所にスライドさせることができる。即ち、第１ソケット部材６のフランジ部６ｃは、可動部１４の両端に設けられたガイド縁部１４ｄの間に入るように案内されるので、第１ソケット部材６を第２ソケット部材８に対して適所に移動させることができる。
【００４２】
図５の右欄に示す状態から、さらに水洗大便器本体２をスライドさせると、フランジ部６ｃの一端部（図５における左端）が、可動部１４の突出部１４ｅに接触する。突出部１４ｅの先端部がフランジ部６ｃによって押されると、可動部１４はベース部１２のシャフト１２ｂを中心に回動される。この際、縮小されていた伸縮部１４ｂが伸ばされ、板状部１４ａの回動が許容される。水洗大便器本体２をスライドさせることにより、第１ソケット部材６が第２ソケット部材８と整合する位置まで移動されると（図３に示す状態）、可動部１４は板状部１４ａがほぼ水平になる位置まで回動される。可動部１４が回動されることにより、可動部１４の板状部１４ａに取り付けられたガスケット１６が上昇し、ガスケット１６がフランジ部６ｃの下面に押しつけられる。これにより、第１ソケット部材６と第２ソケット部材８が水密的に接続される。
【００４３】
本実施形態においては、可動部１４の板状部１４ａは、回動されることにより、上下方向に移動して、第１排水ソケット部材と第２排水ソケット部材が整合した状態において、第１排水ソケット部材と第２排水ソケット部材の間をシールする。従って、可動部１４の板状部１４ａは可動式シール部材として機能する。また、本実施形態において、可動部１４の突出部１４ｅは、水洗大便器本体２を床面Ｆ上でスライドさせることにより第１排水ソケット部材６と第２排水ソケット部材８を整合させる際、自動的に板状部１４ａを移動させ第１排水ソケット部材６と第２排水ソケット部材８の間をシールするので、自動可動機構として機能する。さらに、可動部１４のガイド縁部１４ｄは、第１排水ソケット部材６を取り付けた水洗大便器本体２が床面Ｆ上でスライドされるとき、第１排水ソケット部材６と第２排水ソケット部材８が整合するように水洗大便器本体２のスライドを案内するので、ガイド機構として機能する。なお、特に重量が大きな水洗大便器本体２を設置する場合には、水洗大便器本体２と床面Ｆとの間に生じる摩擦を低減させるために、水洗大便器本体２を床面Ｆ上でスライドさせる際、床面Ｆ上に摩擦低減シートなどを設置して、施工性を向上させることもできる。
【００４４】
本発明の第１実施形態の水洗大便器装置１によれば、第２ソケット部材８の板状部１４ａが回動により上下方向に移動され、水洗大便器本体２に取り付けられた第１排水ソケット部材６と、排水配管１０に取り付けられた第２排水ソケット部材８が整合した状態において第１、第２排水ソケット部材の間がシールされる。排水配管１０に取り付けられた第２排水ソケット部材８は、水洗大便器本体２の底部の切欠２ｅを通過することができるので、水洗大便器本体２を床面Ｆ上でスライドさせるだけで第１排水ソケット部材６と第２排水ソケット部材８を整合させることができる。このため、水洗大便器本体２を持ち上げることなく、排水トラップ管路２ｂの出口開口２ｄと排水配管１０を容易に水密的に接続することができる。本実施形態の水洗大便器装置１によれば、特に、水洗大便器本体２の重量が大きい場合に、設置の作業性を大幅に改善することができる。
【００４５】
また、本実施形態の水洗大便器装置１によれば、水洗大便器本体２を床面Ｆ上でスライドさせることにより、突出部１４ｅが自動的に可動式シール部材である板状部１４ａを回動、移動させ、第１、第２排水ソケット部材間がシールされるので、特別な操作を行うことなく極めて容易に第１排水ソケット部材と第２排水ソケット部材を水密的に接続することができる。
【００４６】
さらに、本実施形態の水洗大便器装置１によれば、ガイド機構であるガイド縁部１４ｄによって、第１、第２排水ソケット部材が整合するように水洗大便器本体２のスライドが案内されるので、第１排水ソケット部材６が水洗大便器本体２の外側から視認できない状態であっても容易に第１排水ソケット部材６と第２排水ソケット部材８を整合させることができる。これにより、施工性を向上させることができる。
【００４７】
次に、図６乃至図９を参照して、本発明の第２実施形態による水洗大便器装置を説明する。
本実施形態の水洗大便器装置は、排水ソケットの構成が、上述した第１実施形態とは異なる。従って、ここでは、本発明の第２実施形態の、第１実施形態とは異なる点のみを説明し、同様の構成、作用、効果については説明を省略する。
【００４８】
図６は、本実施形態の水洗大便器装置における第１、第２排水ソケットの部分を拡大して示す断面図である。図７は、図６のVII−VII線に沿う断面図である。図８は、第１、第２排水ソケットの間がシールされた状態を示す断面図である。図９は、図８のIX−IX線に沿う断面図である。
【００４９】
図６に示すように、第１ソケット部材１０６は、概ね円筒状の部材であり、排水トラップ管路２ｂの下流端に水密的に接続されるように構成されている。第１ソケット部材１０６は、排水トラップ管路２ｂの下流端を受け入れる大径部１０６ａと、この大径部１０６ａの下端から延びるソケット本体部１０６ｂと、このソケット本体部１０６ｂの下端部に設けられたフランジ部１０６ｃと、を有する。
【００５０】
大径部１０６ａは、排水トラップ管路２ｂの下流端を受け入れるように形成された円筒形の部分であり、接着することにより排水トラップ管路２ｂの下流端に水密的に固定される。
ソケット本体部１０６ｂは、大径部１０６ａと連通するように形成された円筒形の部分であり、大径部１０６ａよりも内径が小さく形成されている。この構成により、排水トラップ管路２ｂの下流端の出口開口２ｄから流出した汚物及び洗浄水は、全てソケット本体部１０６ｂに流入する。
フランジ部１０６ｃは、ソケット本体部１０６ｂの下端部外周に形成された長方形板状の部分である。フランジ部１０６ｃは、ソケット本体部１０６ｂに対して直角に延びているので、ソケット本体部１０６ｂが鉛直方向に向けられた状態においては、フランジ部１０６ｃは概ね水平方向に向けられる。
【００５１】
また、図７に示すように、フランジ部１０６ｃの下面には、ソケット本体部１０６ｂの両側に、下方に向けて突出したガイド凸部１０６ｄが夫々設けられている。これらのガイド凸部１０６ｄは、第１ソケット部材１０６と第２ソケット部材１０８が整合した状態では、第２ソケット部材１０８に設けられたガイド凹部１１４ｄの中に夫々受け入れられる。従って、これらのガイド凸部１０６ｄ及びガイド凹部１１４ｄは、ガイド機構として機能する。
【００５２】
図６に示すように、第２ソケット部材１０８は、床面Ｆに固定されるベース部１１２と、このベース部１１２に対して回動可能に取り付けられた可動部１１４と、この可動部１１４に取り付けられたガスケット１１６と、を有する。
ベース部１１２は、床面Ｆに埋設された排水配管１０の近傍に、２本のビス１１２ａによって床面Ｆに固定される直方体状の部材であり、このベース部１１２によってシャフト１１２ｂが水平方向に向けて支持されている。
【００５３】
可動部１１４は、ベース部１１２に取り付けられた可動式シール部材である板状部１１４ａと、この板状部１１４ａの下側に結合された伸縮部１１４ｂと、この伸縮部１１４ｂの下側に結合された排水配管接続部１１４ｃと、を有する。
板状部１１４ａは、概ね長方形板状の部分であり、その１つの辺が、ベース部１１２のシャフト１１２ｂによって回動可能に支持されている。このため、板状部１１４ａは、水平方向に向けられたシャフト１１２ｂを中心に所定角度回動することができ、第１ソケット部材１０６と第２ソケット部材１０８が水密的に接続された状態では、板状部１１４ａは、フランジ部１０６ｃと概ね平行に、ほぼ水平方向に向けられる。
【００５４】
また、板状部１１４ａには円形の開口が設けられており、この開口は、第１ソケット部材１０６のソケット本体部１０６ｂと整合する位置に形成されている。さらに、板状部１１４ａの下面には円筒形の伸縮部１１４ｂが設けられており、この伸縮部１１４ｂは板状部１１４ａの開口と連通するように、一体に形成されている。伸縮部１１４ｂは弾性変形可能な材料で構成されており、伸縮部１１４ｂが伸縮、変形することにより板状部１１４ａの回動が許容される。
【００５５】
さらに、伸縮部１１４ｂの下流側には、円筒形の排水配管接続部１１４ｃが一体に形成されており、伸縮部１１４ｂと排水配管接続部１４ｃは一続きの円管を構成している。排水配管接続部１１４ｃの外周は、床面に設けられた排水配管１０の内側に嵌め込み可能な外径に形成されており、排水配管接続部１１４ｃは、接着により排水配管１０に水密的に取り付けられる。このように、排水配管接続部１１４ｃが排水配管１０に接着された状態であっても、伸縮部１１４ｂが変形することにより、依然として板状部１１４ａの回動は許容される。
【００５６】
一方、図７に示すように、板状部１１４ａの上面の両端にはガイド凹部１１４ｄが夫々形成されており、これらのガイド凹部１４ｄは板状部１１４ａの両側の短辺と平行に設けられた細長い溝である。
【００５７】
ガスケット１１６は、板状部１１４ａの上面に、その円形の開口を取り囲むように取り付けられた円環状のゴム製の部材である。このガスケット１１６が、第１ソケット部材１０６のフランジ部１０６ｃと第２ソケット部材１０８の板状部１１４ａの間に挟まれることにより、第１ソケット部材１０６と第２ソケット部材１０８が水密的にシールされる。即ち、板状部１１４ａがほぼ水平方向に向けられた状態においては、ガスケット１１６は、フランジ部１０６ｃと板状部１１４ａの間で所定量押しつぶされ、第１ソケット部材１０６と第２ソケット部材１０８の間がシールされる。
【００５８】
さらに、本実施形態の水洗大便器装置はシール操作部材１１８（図６）を備えており、第１ソケット部材１０６と第２ソケット部材１０８が整合した状態でシール操作部材１１８を操作することにより、第１ソケット部材１０６と第２ソケット部材１０８の間をシールすることができる。シール操作部材１１８は、概ね鉛直に向けられた平板状の垂直部１１８ａと、この垂直部１１８ａの下端から水平方向に延びる２本の脚部１１８ｂと、これらの脚部１１８ｂから上方に突出した突起部１１８ｃと、を有する。後述するように、第１ソケット部材１０６と第２ソケット部材１０８が整合した状態で、シール操作部材１１８の各脚部１１８ｂを、第２ソケット部材１０８の板状部１１４ａの下側に挿入することにより、第１、第２ソケット部材の間がシールされる。
【００５９】
次に、図８及び図９を新たに参照して、本発明の第２実施形態による水洗大便器装置の設置手順を説明する。
水洗大便器装置を設置する場合には、まず、水洗大便器本体２に設けられた排水トラップ管路２ｂ下流端の出口開口２ｄに、第１ソケット部材１０６を取り付ける。
【００６０】
一方、第２ソケット部材１０８の排水配管接続部１１４ｃを床面Ｆに設けられた排水配管１０に挿入した状態で、ベース部１１２を排水配管１０の近傍に配置し、２本のビス１１２ａによりベース部１１２を床面Ｆに固定する。さらに、排水配管接続部１１４ｃを排水配管１０に接着して、第２ソケット部材１０８を排水配管１０に水密的に接続する。この状態においては、可動部１１４の板状部１１４ａと排水配管接続部１１４ｃの間の伸縮部１１４ｂは縮小されており、板状部１１４ａは水平面に対してベース部１１２の反対側（図６における右側）が低くなるように傾斜している。
【００６１】
第２ソケット部材１０８を床面Ｆの排水配管１０に取り付けた後、第１ソケット部材１０６を取り付けた水洗大便器本体２を床面Ｆ上でスライドさせ、第１ソケット部材１０６と第２ソケット部材１０８を整合させる（図６の状態）。ここで、第１ソケット部材１０６は水洗大便器本体２のスカート部２ｃによって取り囲まれているが、スカート部２ｃの後面底部には切欠２ｅ（図２）が設けられているため、水洗大便器本体２を持ち上げることなく第１ソケット部材１０６と第２ソケット部材１０８を整合させることができる。
【００６２】
水洗大便器本体２をスライドさせることにより、第１ソケット部材１０６が第２ソケット部材１０８に接近すると、第１ソケット部材１０６のフランジ部１０６ｃの設けられたガイド凸部１０６ｄが、第２ソケット部材１０８の可動部１１４のガイド凹部１１４ｄ（図７）に受け入れられる。図９に示すように、ガイド凹部１１４ｄは、端部において幅が広く形成されているので、水洗大便器本体２をスライドさせる位置が多少ずれていたとしても、適正位置に水洗大便器本体２を案内することができる。
【００６３】
このように、第１ソケット部材１０６のガイド凸部１０６ｄと第２ソケット部材１０８のガイド凹部１１４ｄは、第１排水ソケット部材１０６を取り付けた水洗大便器本体２が床面Ｆ上でスライドされるとき、第１排水ソケット部材１０６と第２排水ソケット部材１０８が整合するように水洗大便器本体２のスライドを案内するので、ガイド機構として機能する。また、変形例として、第１ソケット部材にガイド凹部を設け、第２ソケット部材にガイド凸部を設けることもできる。
【００６４】
水洗大便器本体２をスライドさせ、第１ソケット部材１０６と第２ソケット部材１０８が整合すると（図６の状態）、各ガイド凸部１０６ｄの先端が、各ガイド凹部１１４ｄの終端に当接する。これにより、施工者は第１ソケット部材１０６と第２ソケット部材１０８が整合したことを認識することができる。
【００６５】
この状態において、シール操作部材１１８の各脚部１１８ｂを水洗大便器本体２の切欠２ｅを通して挿入し、第２ソケット部材１０８の板状部１１４ａを回動させる。即ち、シール操作部材１１８の各脚部１１８ｂを挿入すると、各脚部１１８ｂは第２ソケット部材１０８の板状部１１４ａの下側に入り込み、各脚部１１８ｂに設けられた突起部１１８ｃが板状部１１４ａの下面を上方に押す。これにより、可動部１１４はベース部１１２のシャフト１１２ｂを中心に回動される。この際、可動部１１４の伸縮部１１４ｂが伸ばされ、可動部１１４の回動が許容される。
【００６６】
シール操作部材１１８の垂直部１１８ａが水洗大便器本体２のスカート部２ｃに接触するまで挿入されると、可動部１１４は板状部１１４ａがほぼ水平になる位置まで回動される。可動部１１４が回動されることにより、可動部１１４の板状部１１４ａに取り付けられたガスケット１１６が上昇し、ガスケット１１６がフランジ部１０６ｃの下面に押しつけられる。これにより、第１ソケット部材６と第２ソケット部材８が水密的に接続される。また、この状態においては、水洗大便器本体２のスカート部２ｃに設けられた切欠２ｅは、シール操作部材１１８の垂直部１１８ａによって塞がれる。
【００６７】
本実施形態においては、可動部１１４の板状部１１４ａは、回動されることにより、上下方向に移動して、第１排水ソケット部材と第２排水ソケット部材が整合した状態において、第１排水ソケット部材と第２排水ソケット部材の間をシールするので、可動式シール部材として機能する。また、本実施形態において、図８に示す状態からシール操作部材１１８を引き抜くと、可動部１１４の伸縮部１１４ｂが縮小して、図６に示す第１、第２排水ソケット部材の間がシールされていない状態に戻る。従って、シール操作部材１１８は、可動部１１４の板状部１１４ａを、第１排水ソケット部材と第２排水ソケット部材の間がシールされる位置から、第１排水ソケット部材と第２排水ソケット部材の間がシールされない位置へ移動させる接続解除機構として機能する。
【００６８】
本発明の第２実施形態の水洗大便器装置によれば、シール操作部材１１８を操作することにより、可動式シール部材である板状部１１４ａが移動され、第１排水ソケット部材１０６と第２排水ソケット部材１０８の間がシールされるので、確実に第１、第２排水ソケット部材の間の水密性を確保することができる。また、シール操作部材１１８は、水洗大便器本体２の外側から操作できるように構成されているので、容易に第１、第２排水ソケット部材の間をシールすることができる。
【００６９】
なお、上述した第１実施形態のように、可動部１４の突出部１４ｅに第１ソケット部材６のフランジ部６ｃが当接することにより、自動的に板状部１４ａが移動される水洗大便器装置１に、シール操作部材１１８を設けることもできる。これにより、第１ソケット部材６と第２ソケット部材８の間がシールされた状態を、より確実に維持することができる。
【００７０】
また、本実施形態の水洗大便器装置によれば、シール操作部材１１８が水洗大便器本体２の切欠２ｅを通して操作されるので、水洗大便器本体２の外側から板状部１１４ａを移動させることができる。また、第１、第２排水ソケット部材の間がシールされた状態では、切欠２ｅがシール操作部材１１８の垂直部１１８ａによって塞がれるので、切欠２ｅを隠蔽することができ、水洗大便器本体２の意匠性を向上させることができる。
【００７１】
さらに、本実施形態の水洗大便器装置によれば、第１排水ソケット部材１０６に設けられたガイド凸部１０６ｄと、第２排水ソケット部材１０８に設けられたガイド凹部１１４ｄによってガイド機構が構成されている。このため、特別な部材を追加することなく水洗大便器本体２のスライドを案内することができる。また、ガイド機構がガイド凹部１１４ｄとガイド凸部１０６ｄから構成されているので、簡単な構造でガイド機構を実現することができる。
なお、変形例として、第１排水ソケット部材にガイド凹部を設け、第２排水ソケット部材にガイド凸部を設けるように、本発明を構成することもできる。
【００７２】
また、本実施形態の水洗大便器装置によれば、シール操作部材１１８を引き抜くことによって、第１排水ソケット部材１０６と第２排水ソケット部材１０８の接続を解除することができるので、水洗大便器本体２を設置した後でも、第１排水ソケット部材１０６と第２排水ソケット部材１０８の接続を容易に解除することができ、メンテナンス性を向上させることができる。
【００７３】
次に、図１０乃至図１２を参照して、本発明の第３実施形態による水洗大便器装置を説明する。
本実施形態の水洗大便器装置は、排水ソケット及び水洗大便器の一部の構成が、上述した第１実施形態とは異なる。従って、ここでは、本発明の第３実施形態の、第１実施形態とは異なる点のみを説明し、同様の構成、作用、効果については説明を省略する。
【００７４】
図１０は、本発明の第３実施形態による水洗大便器装置に使用される水洗大便器本体を後方から見た斜視図である。図１１は、本実施形態による水洗大便器装置における第１排水ソケット部材と第２排水ソケット部材の接続を説明する図である。図１２は、本実施形態による水洗大便器装置において第１排水ソケット部材と第２排水ソケット部材が接続された状態を示す半断面図である。
【００７５】
図１０に示すように、本実施形態の水洗大便器装置に使用される水洗大便器本体２０２は、汚物を受けるボウル部２０２ａと、排水トラップ管路２０２ｂ（図１１）と、ボウル部２０２ａの周囲を囲むように床面Ｆまで延びるスカート部２０２ｃと、を備えている。また、スカート部２０２ｃの後面の底部には切欠２０２ｅが形成されていると共に、スカート部２０２ｃの後部両側面には、底部フランジ２０２ｆが設けられている。この底部フランジ２０２ｆには、水洗大便器本体２０２の後端から前方に向けて延びる細長い切り込み部２０２ｇが夫々設けられている。
【００７６】
次に、図１１及び図１２を参照して、第１ソケット部材２０６及び第２ソケット部材２０８の構成を説明する。
図１１に示すように、第１ソケット部材２０６は、概ね円筒状の部材であり、排水トラップ管路２０２ｂの下流端に水密的に接続されるように構成されている。第１ソケット部材２０６は、排水トラップ管路２０２ｂの下流端を受け入れる大径部２０６ａと、この大径部２０６ａの下端から延びるソケット本体部２０６ｂと、このソケット本体部２０６ｂの下端部に設けられたフランジ部２０６ｃと、を有する。
【００７７】
図１１及び図１２に示すように、第２ソケット部材２０８は、床面Ｆに固定されるベース部２１２と、このベース部２１２に対して鉛直方向に移動可能に支持された可動部２１４と、この可動部２１４に取り付けられたガスケット２１６と、を有する。
ベース部２１２は、床面Ｆに埋設された排水配管１０の近傍で、床面Ｆに固定される板状の部材である。このベース部２１２には、鉛直上方に向けて突出するように４本の摺動ピン２１２ａが取り付けられている。これらの摺動ピン２１２ａは、第２ソケット部材２０８の板状部２１４ａに設けられた４つのピン受け孔２１４ｄに夫々挿入されている。
【００７８】
可動部２１４は、ベース部２１２に支持された可動式シール部材である板状部２１４ａと、この板状部２１４ａの下側に結合された伸縮部２１４ｂと、この伸縮部２１４ｂの下側に結合された排水配管接続部２１４ｃと、を有する。
板状部１４ａは、概ね長方形板状の部分であり、ベース部２１２の各摺動ピン２１２ａと夫々整合する位置にピン受け孔２１４ｄが形成されている。これらのピン受け孔２１４ｄが各摺動ピン２１２ａを受け入れることにより、板状部２１４ａは各摺動ピン２１２ａに沿って鉛直方向（上下方向）に摺動可能に支持される。
【００７９】
また、板状部２１４ａには円形の開口が設けられており、この開口は、第１ソケット部材２０６のソケット本体部２０６ｂと整合する位置に形成されている。さらに、板状部２１４ａの下面には円筒形の伸縮部２１４ｂが設けられており、この伸縮部２１４ｂは板状部２１４ａの開口と連通するように、一体に形成されている。伸縮部２１４ｂは弾性変形可能な材料で構成されており、伸縮部２１４ｂが伸縮、変形することにより板状部２１４ａの上下方向の移動が許容される。
【００８０】
さらに、排水配管接続部２１４ｃは、接着により排水配管１０に水密的に取り付けられる。このように、排水配管接続部２１４ｃが排水配管１０に接着された状態であっても、伸縮部２１４ｂが変形することにより、依然として板状部２１４ａの上下動は許容される。
【００８１】
一方、図１１に示すように、板状部２１４ａの上面の後端（水洗大便器本体の後方側の端部）にはガイド突起２１４ｅが形成されており、このガイド突起２１４ｅは板状部２１４ａから上方に向けて突出した突起である。第１ソケット部材２０６と第２ソケット部材２０８が整合した状態においては、第１ソケット部材２０６のフランジ部２０６ｃの後端が、ガイド突起２１４ｅと当接する。
【００８２】
さらに、板状部２１４ａの上面には、ガスケット２１６が、板状部２１４ａのの円形の開口を取り囲むように取り付けられている。このガスケット２１６が、第１ソケット部材２０６のフランジ部２０６ｃと第２ソケット部材２０８の板状部２１４ａの間に挟まれることにより、第１ソケット部材２０６と第２ソケット部材２０８が水密的にシールされる。
【００８３】
また、板状部２１４ａ上面のガスケット２１６の両側には、固定ボルト２１８が夫々取り付けられている。これらの固定ボルト２１８は、板状部２１４ａの上面から鉛直上方に向けて突出するように取り付けられ、それらの先端は、水洗大便器本体２０２の底部フランジ２０２ｆの上面よりも上方まで延びている。
【００８４】
次に、図１１及び図１２を参照して、本発明の第３実施形態による水洗大便器装置の設置手順を説明する。
水洗大便器装置を設置する場合には、まず、水洗大便器本体２０２に設けられた排水トラップ管路２０２ｂ下流端の出口開口２０２ｄに、第１ソケット部材２０６を取り付ける。図１１の左欄に示すように、この状態において、水洗大便器本体２０２を床面Ｆ上に配置すると、第１ソケット部材２０６下流端のフランジ部２０６ｃは、床面Ｆから所定距離上方に、ほぼ水平に配置される。
【００８５】
一方、第２ソケット部材２０８の排水配管接続部２１４ｃを床面Ｆに設けられた排水配管１０に挿入した状態で、ベース部２１２を排水配管１０の近傍に配置し、床面Ｆに固定する。さらに、排水配管接続部２１４ｃを排水配管１０に接着して、第２ソケット部材２０８を排水配管１０に水密的に接続する。この状態においては、可動部２１４の板状部２１４ａと排水配管接続部２１４ｃの間の伸縮部２１４ｂは縮小されている。
【００８６】
図１１の右欄に示すように、第２ソケット部材２０８を床面Ｆの排水配管１０に取り付けた後、第１ソケット部材２０６を取り付けた水洗大便器本体２０２を床面Ｆ上でスライドさせ、第１ソケット部材２０６と第２ソケット部材２０８を整合させる。ここで、第２ソケット部材２０８が切欠２０２ｅの中を通過するように水洗大便器本体２０２をスライドさせることにより、第２ソケット部材２０８とスカート部２０２ｃが干渉することなく、第２ソケット部材２０８をスカート部２０２ｃの内側に位置させることができる。
【００８７】
また、図１２に示すように、第２ソケット部材２０８の板状部２１４ａに取り付けられた各固定ボルト２１８は、水洗大便器本体２０２の底部フランジ２０２ｆの上面よりも上方に突出している。しかしながら、これらの固定ボルト２１８は、底部フランジ２０２ｆに設けられた各切り込み部２０２ｇの位置と整合しているため、各固定ボルト２１８が水洗大便器本体２０２と干渉することはない。また、各固定ボルト２１８と各切り込み部２０２ｇが整合するように、水洗大便器本体２０２を床面Ｆ上でスライドさせることにより、第１ソケット部材２０６と第２ソケット部材２０８の左右方向位置を容易に整合させることができる。
【００８８】
また、水洗大便器本体２０２を後方へスライドさせると、第１ソケット部材２０６下端のフランジ部２０６ｃが、第２ソケット部材２０８の可動部２１４のガイド突起２１４ｅに当接する（図１１の右欄）。水洗大便器本体２０２をスライドさせる際、第１ソケット部材２０６は施工者から視認できない状態にあるが、第１ソケット部材２０６のフランジ部２０６ｃがガイド突起２１４ｅと当接することで、施工者は水洗大便器本体２０２を手探りで適所までスライドさせることができる。
【００８９】
図１１の右欄に示す状態まで水洗大便器本体２０２をスライドさせると、上方に向けて第２ソケット部材２０８に取り付けられている各固定ボルト２１８の先端部は、水洗大便器本体２０２の各切り込み部２０２ｇを通って底部フランジ２０２ｆの上面から突出する。この状態で、突出している各固定ボルト２１８に固定ナット２１８ａを夫々螺合させ、固定ナット２１８ａを締め込むと、各固定ボルト２１８と共に第２ソケット部材２０８の可動部２１４（板状部２１４ａ）が上方に引き上げられる。この際、概ね鉛直上方に向けて移動されるように、板状部２１４ａの移動をベース部２１２の摺動ピン２１２ａが案内する。これにより、板状部２１４ａに取り付けられたガスケット２１６が上昇し、ガスケット２１６はフランジ部２０６ｃの下面に押しつけられる。この結果、第１ソケット部材２０６と第２ソケット部材２０８が水密的に接続される。
【００９０】
本実施形態においては、各固定ボルト２１８に各固定ナット２１８ａを締め込むことにより、可動部２１４の板状部２１４ａが上下方向に移動して、第１排水ソケット部材と第２排水ソケット部材が整合した状態において、第１排水ソケット部材と第２排水ソケット部材の間をシールする。従って、可動部２１４の板状部２１４ａは可動式シール部材として機能する。さらに、水洗大便器本体２０２の切り込み部２０２ｇ、及び板状部２１４ａのガイド突起２１４ｅは、第１排水ソケット部材２０６を取り付けた水洗大便器本体２０２が床面Ｆ上でスライドされるとき、第１排水ソケット部材２０６と第２排水ソケット部材２０８が整合するように水洗大便器本体２０２のスライドを案内するので、ガイド機構として機能する。
【００９１】
以上、本発明の好ましい実施形態を説明したが、上述した実施形態に種々の変更を加えることができる。例えば、上述した実施形態においては、タンク式の水洗大便器に本発明が適用されていたが、水道直圧式の水洗大便器等、任意の形式の水洗大便器に本発明を適用することができる。また、上述した実施形態においては、可動式シール部材である板状部は、第２排水ソケット部材側に設けられていたが、これを第１排水ソケット部材に設けることもできる。さらに、上述した実施形態においては、第１、第２排水ソケット部材の間をシールするガスケットは、可動側（可動式シール部材の側）に取り付けられていたが、固定側（上述した実施形態では第１排水ソケット部材側）にガスケットを取り付けることもできる。
【符号の説明】
【００９２】
Ｆ    床面
１    水洗大便器装置
２    水洗大便器本体
２ａ  ボウル部
２ｂ  排水トラップ管路
２ｃ  スカート部
２ｄ  出口開口
２ｅ  切欠
４    貯水タンク
６    第１ソケット部材
６ａ  大径部
６ｂ  ソケット本体部
６ｃ  フランジ部
８    第２ソケット部材
１０    排水配管
１２    ベース部
１２ａ  ビス
１２ｂ  シャフト
１４    可動部
１４ａ  板状部（可動式シール部材）
１４ｂ  伸縮部
１４ｃ  排水配管接続部
１４ｄ  ガイド縁部
１４ｅ  突出部（自動可動機構）
１６    ガスケット
１０６    第１ソケット部材
１０６ａ  大径部
１０６ｂ  ソケット本体部
１０６ｃ  フランジ部
１０６ｄ  ガイド凸部（ガイド機構）
１０８    第２ソケット部材
１１２    ベース部
１１２ａ  ビス
１１２ｂ  シャフト
１１４    可動部
１１４ａ  板状部
１１４ｂ  伸縮部
１１４ｃ  排水配管接続部
１１４ｄ  ガイド凹部（ガイド機構）
１１６    ガスケット
１１８    シール操作部材（接続解除機構）
１１８ａ  垂直部
１１８ｂ  脚部
１１８ｃ  突起部
２０２    水洗大便器本体
２０２ａ  ボウル部
２０２ｂ  排水トラップ管路
２０２ｃ  スカート部
２０２ｆ  底部フランジ
２０２ｇ  切り込み部
２０６    第１ソケット部材
２０６ａ  大径部
２０６ｂ  ソケット本体部
２０６ｃ  フランジ部
２０８    第２ソケット部材
２１２    ベース部
２１２ａ  摺動ピン
２１４    可動部
２１４ａ  板状部（可動式シール部材）
２１４ｂ  伸縮部
２１４ｃ  排水配管接続部
２１４ｄ  ピン受け孔
２１４ｅ  ガイド突起
２１６    ガスケット
２１８    固定ボルト
２１８ａ  固定ナット
【図１】
2019148135.tif 000003
【図２】
2019148135.tif 000004
【図３】
2019148135.tif 000005
【図４】
2019148135.tif 000006
【図５】
2019148135.tif 000007
【図６】
2019148135.tif 000008
【図７】
2019148135.tif 000009
【図８】
2019148135.tif 000010
【図９】
2019148135.tif 000011
【図１０】
2019148135.tif 000012
【図１１】
2019148135.tif 000013
【図１２】
2019148135.tif 000014